(57)【要約】【課題】検知した電流量が設定値を超えた場合、音、光のアラーム信号を発生させ、過電流負荷による危険や突然の停電を防ぎ、製品の実用価値及び電気使用上の安全性を高める電流検知早期警告警報器を提供する。【解決手段】電流検知早期警告警報器は、電流センサ装置、電流電圧変換器、警報装置、選択調節ボタン、及び照明装置等の要素により構成され、主に電力システムの電流回路上に使用し、元来の電力システムの電源ラインを変更する必要なく、しかも別に作動電源を取り付けずに電流回路の電流信号を検知することができ、検知した電流量が設定値を超えると音、光のアラーム信号を発生させて使用者に電気使用量の低下を警告することにより、過電流負荷による危険や突然の停電を防ぎ、製品の実用価値及び電気使用上の安全性を高める新規性を備えた構造である。【選択図】図２
0003149574.tif 000002
【実用新案登録請求の範囲】
【請求項１】
検知する電線に引き掛けるか貫設して電線の電流信号を検知する電流センサ装置と、電流センサ装置の検知した電流信号を対応する電圧レベルに変換し、且つ前記電圧レベルと電流限度設定値に対応して設定した電圧レベルを比較し、感知する検知値が設定値を超えると出力変化を発生させる電流電圧変換器と、電流電圧変換器の感知した信号を受信し、検知値が予め設定した値を超えると警告信号を発生する警報装置と、負荷検知値の予め設定した臨界値を選択調節する選択調節ボタンと、電流センサ装置を引き掛けるか貫設して電線の生じる電力を検知して直ちに照明装置を作動させる照明装置とにより構成されることを特徴とする電流検知早期警告警報器。
【請求項２】
前記電流センサ装置はクランプ式センサ装置であることを特徴とする請求項１記載の電流検知早期警告警報器。
【請求項３】
前記電流センサ装置は封鎖式センサ装置であることを特徴とする請求項１記載の電流検知早期警告警報器。
【考案の詳細な説明】
【技術分野】
【０００１】
本考案は電流検知早期警告警報器に関し、電流センサ装置、電流電圧変換器、警報装置、選択調節ボタン、及び照明装置等の要素により構成され、主に電力システムの電流回路上に使用し、元来の電力システムの電源ラインを変更することなく、作動電源を別に取り付ける必要なく、電流回路の電流信号を検知し、検知した電流量が設定値を超えた場合、音、光のアラーム信号を発生させて使用者に電気使用量を下げる警告をし、過電流負荷による危険や突然の停電を防ぎ、製品の実用価値及び電気使用上の安全性を高める新規性を備えた構造である。
【背景技術】
【０００２】
公知の電力システムの電源ライン配置において現在最もよく使用されているのは、総電源ボックスを複数の分岐回路に分ける方法であり、各分岐回路にノーヒューズブレーカーを取り付け、分岐回路の電流負荷量が予定負荷の上限を上回ると、ノーヒューズブレーカーが飛んで停電する。しかし、電気使用における安全上、臨時保護措置を成すが、予告なく突然停電する故に家庭の電気使用や工場の作業に極大な不便を引き起こしている。また、通常、電気使用量が予定負荷の上限を超過する状況が発生すると電線は高温となり、電線燃焼が発生し易く大きな危険性が存在する。
【０００３】
また、日常生活の電気使用習慣をみると、通常は室内の電源差し込み上には電気製品が徐々に追加されていき多孔差し込みの延長コードを使用することさえもあり、電源スイッチの負荷は増加し続けているが、全電気製品の総合電流量が予定の負荷上限値を超えていないかどうかについては却って軽視されているのが現状である。
【考案の概要】
【考案が解決しようとする課題】
【０００４】
公知製品に存在する欠点を克服すべく本考案者は独創性を発揮し、関連業界に従事し累積した専門知識と実務経験に基づき研究を行い、終に電流検知早期警告警報器を生み出した。
【０００５】
本考案の目的は電流検知早期警告警報器を提供することにあり、前記電流検知早期警告警報器は電流センサ装置、電流電圧変換器、警報装置、選択調節ボタン、及び照明装置等の要素により構成され、主に電力システムの電流回路上に使用し、元来の電力システムの電源ラインを変更する必要がなく、しかも別に作動電源を取り付けずに電流回路の電流信号を検知することができ、検知した電流量が設定値を超えると音、光のアラーム信号を発生させて使用者に電気使用量を下げる警告をすることにより、過電流負荷による危険や突然の停電を防ぎ、製品の実用価値及び電気使用上の安全性を高める新規性を備えた構造である。
【課題を解決するための手段】
【０００６】
請求項１の考案は、検知する電線に引き掛けるか貫設して電線の電流信号を検知する電流センサ装置と、電流センサ装置の検知した電流信号を対応する電圧レベルに変換し、且つ前記電圧レベルと電流限度設定値に対応して設定した電圧レベルを比較し、感知する検知値が設定値を超えると出力変化を発生させる電流電圧変換器と、電流電圧変換器の感知した信号を受信し、検知値が予め設定した値を超えると警告信号を発生する警報装置と、負荷検知値の予め設定した臨界値を選択調節する選択調節ボタンと、電流センサ装置を引き掛けるか貫設して電線の生じる電力を検知して直ちに照明装置を作動させる照明装置とにより構成されることを特徴とする電流検知早期警告警報器としている。
請求項２の考案は、前記電流センサ装置はクランプ式センサ装置であることを特徴とする請求項１記載の電流検知早期警告警報器としている。
請求項３の考案は、前記電流センサ装置は封鎖式センサ装置であることを特徴とする請求項１記載の電流検知早期警告警報器としている。
【０００７】
本考案の主な特徴は、電流検知早期警告警報器は別に電力提供を必要とせずに、本考案の電流検知早期警告警報器を引き掛けるか貫設するだけで電線の発生電力を検知し、警報装置の作動に必要な電力を誘導することにある。
【０００８】
本考案の次の特徴は、異なる電流量の使用規格に応じて、選択調節ボタンを使い、75％〜95％等の予定検知電流の上限値を設定することが可能であり、電流負荷値が予定の臨界値に達したことを検知すると、警報装置を駆動することにある。
【０００９】
本考案のもう一つの特徴は、別に電力提供を必要とせずに本考案の電流検知早期警告警報器を引き掛けるか貫設するだけで電線の発生電力を検知し、即刻、照明装置作動に必要な電力を提供することにある。
【００１０】
前述の目的を達成する為に、図面を組み合わせた本考案の実施例に基づき次の通り説明を行う。これにより貴審査委員の方々には本考案の特徴、目的、及び効果を更に明瞭に御理解戴けることを期待する。
【００１１】
まず図１に示す通り、電力システムの電源ラインの配置は総電源ボックス１０において複数の分岐回路スイッチに分配する。総電源ボックス１０の総負荷は複数の分岐負荷１１、１２、１３、１４、１５、１６の合計である。本考案の電流測定方法は電流検知早期警告警報器２を総電源ボックス１０から延伸する電線１７に被せるか引き掛けて、電線１７を電流検知早期警告警報器２に貫通させて電流負荷を検知する。
【００１２】
図２に示す通り、本考案の電流検知早期警告警報器２は、電流センサ装置２１、電流電圧変換器２２、警報装置２３、選択調節ボタン２４、及び照明装置２５等の要素により構成される。前記電流センサ装置２１は検知する電線に引き掛けるか貫設して電線の電流信号を検知する。前記電流電圧変換器２２は電流センサ装置２１の検知した電流信号を対応する電圧レベルに変換し、且つ前記電圧レベルと電流限度設定値に対応して設定した電圧レベルを比較し、感知した検知値が設定値を超えると、出力変化を発生する。前記警報装置２３は電流電圧変換器２２の感知した信号を受信し、検知値が予め設定した値を超えると、警告信号を発生する。前記選択調節ボタン２４は負荷検知値の予め設定した臨界値を選択調節するものである。前記照明装置２５は電流センサ装置２１を引き掛けるか貫設して電線の生じる電力を検知して、即刻照明装置２５の作動に必要な電力を提供することにより、補助照明光線として使用する。
【考案の効果】
【００１３】
本考案の電流検知早期警告警報器は別に電力提供を必要とせずに引き掛けるか貫設するだけで電線の発生電力を検知し警報装置の作動に必要な電力を誘導し、異なる電流量の使用規格に応じて選択調節ボタンを使って75％〜95％等の予定検知電流の上限値を設定することが可能であり電流負荷値が予定の臨界値に達したことを検知すると警報装置を駆動し、並びに別に電力提供を必要とせずに本考案の電流検知早期警告警報器を引き掛けるか貫設するだけで電線の発生電力を検知し照明装置作動に必要な電力を提供することを特徴とする。
【図面の簡単な説明】
【００１４】
【図１】本考案の検知状態図である。
【図２】本考案の構造図である。
【考案を実施するための形態】
【００１５】
本考案は前述各要素を組み合わせたものであり、図１及び図２に示す通り、電流検知早期警告警報器２は電流センサ装置２１を総電源ボックス１０の延伸する電線１７に引き掛けるか貫設して電流負荷の検知を行う。電線１７の電流値が予め設定した臨界値を超えると電流電圧変換器２２は即刻出力変化を発生し、且つ電流センサ装置２１は引き掛けるか貫設して電線１７の生じる電力を検知して、即刻警報装置２３を刺激して音、光の警報信号を発生する。
【００１６】
本考案の警報装置はブザー、ラッパ等の音声効果装置またはライト、ＬＥＤ等発光装置により構成される。
【００１７】
前述の詳細説明は本考案の実施例の具体的な説明であり、前記実施例は本考案の請求範囲を制限するものではなく、本考案の技術精神を逸脱せずに成された同等効果の実施またはサイズの大きさ変更、材質の変更による応用は全て本考案の実用新案請求の範囲内に含まれるものとする。
【００１８】
前述した通り、本考案は空間形態上において確実な新規性を備え、更なる実用上の効果を発揮し、且つ利用価値を持ち、公知技術において同様もしくは類似する物品は見られないことから、実用新案出願条件に符合するものであることが理解される。
【符号の説明】
【００１９】
１０  総電源ボックス
１１  分岐負荷
１２  分岐負荷
１３  分岐負荷
１４  分岐負荷
１５  分岐負荷
１６  分岐負荷
１７  電線
２  電流検知早期警告警報器
２１  電流センサ装置
２２  電流電圧変換器
２３  警報装置
２４  選択調節ボタン
２５  照明装置
【図１】
0003149574.tif 000003
【図２】
0003149574.tif 000004